Podtech/llm-jp-corpus-v4-ja_patent huggingface dataset:
(57)【要約】      （修正有）【課題】効率よく設定温度に達成する、わかめ等の食品を湯通し又は湯洗いする装置を提供する。【解決手段】煙道を尖った方を下に向けた卵型にする。釜の下側の温められた海水または水が煙道の間を上昇し、釜の上側の海水または水は煙道と釜との間を通過して釜の下側に流入する。【選択図】図２
0003179388.tif 000002
【実用新案登録請求の範囲】
【請求項１】
尖った方を下に向けた卵型の煙道を用いることで伝熱面積を増やし、煙道で発生した水分は煙道の尖った方に集まることで熱損失を抑え海水および水を温めやすくするわかめ等を湯通しする装置
【考案の詳細な説明】
【技術分野】
【０００１】  本装置は、水または海水を温め、わかめ等の食品を湯通し又は湯洗いする装置である。
【背景技術】
【０００２】  わかめは海上から刈り取りしたあと陸上に運び、湯通し及び塩漬けなどの処理を行うのが一般的である。
【先行技術文献】
【０００３】  現在は、装置の底面と水槽の底面の空間にバーナーを用いて空間を温めることで釜の底部を温め、海水または水を温める装置であった。
【考案の概要】
【考案が解決しようとする課題】
【０００４】  装置の底面と釜の底面の空間にバーナーを用いて空間を温めることで釜の底部を温め、水または海水を温める装置だと、設定温度になるまでには時間がかかる【０００５】  また、設定温度の状態から新たな海藻を投入すると設定温度が下がるため、設定温度まで温度を上げるのに時間がかかる。
【課題を解決するための手段】
【０００６】  燃焼室をバーナーで温めた排気ガスは、燃焼室内から煙突へと通じる煙道を通ることで伝熱部分が広がり、水および海水を早く温める。【０００７】  煙道の断面は、尖った方を下に向けた卵型にすることで、煙道と煙道の間で熱せられて水または海水を温めやすくする。
【考案の効果】
【０００８】  何本かの煙道を設置することで従来の釜の底を熱するより伝熱面積が増え、煙道の中にバッフルプレートを入れることで、煙道内の通過速度を遅くなることで煙道内の熱の滞留時間を長くすることにより熱効率を良くする。【０００９】  煙道の形は尖った方を下に向けた卵型にすることで、水および海水の流れは図４のように煙道と煙道の間は下側と比較して上側が小さいことで、煙道と煙道の間の上部が狭いために上昇流が緩やかになることで、煙道からの熱を吸収しやすい。【００１０】  また煙道の形が尖った方が下に向けた卵型にすることで、煙道内に発生した水分は煙道の尖った部分に流れることで煙道内の熱量の損失を小さくする。
【図面の簡単な説明】
【００１１】
【図１】上からの装置図
【図２】全体の横断面図
【図３】装置の縦断面図
【図４】釜の水または海水の流れ
【図５】煙道の縦断面図
【考案を実施するための形態】
【００１２】  装置の釜１の部分に水または海水２を入れて、バーナー３を燃焼させることで燃焼室４が温まり、排気ガスは煙道５を通過し煙道５を温めて煙突６から排出される。
【００１３】  温められた煙道５が装置の釜１部分に入っている水または海水２を温め、水または海水２が一定温度になるとバーナー３が止まる。
【００１４】  煙道５の中にはバッスルプレート７を設置することで、温風が煙道５内の通過速度を下げることで煙道５を温めやすくする。
【００１５】  煙突６の途中には、ドラフタ８を設置することで突発的に発生した排気ガスを逃がす。
【００１６】  設定温度になった水または海水２にわかめ等の海藻を釜１部分に入れて洗浄し、設定温度から下がったらバーナー３が点火され設定温度の水または海水２になるように燃焼する。
【００１７】  わかめ等の海藻は釜１の底へ到達しないように、煙道５より上の所に網９を設置する。
【産業上の利用可能性】
【００１８】  本装置は、わかめ等の海藻の洗浄を主と考えているが、お湯による食品の洗浄や解凍にも利用できる。
【符号の説明】
【００１９】  １  釜
２  水または海水
３  バーナー
４  燃焼室
５  煙道
６  煙突
７  バッフルプレート
８  ドラフタ
９  網
【図１】
0003179388.tif 000003
【図２】
0003179388.tif 000004
【図３】
0003179388.tif 000005
【図４】
0003179388.tif 000006
【図５】
0003179388.tif 000007
(57)【要約】      （修正有）【課題】潮流の影響による漁網の海中での形状の変化を少なくし、安定した形状を保つことを可能にした曳網漁法に用いられる漁網の構造を提供する。【解決手段】曳網漁法に用いられる漁網の袖網３の垂直部位の左右両側に、三角形、台形、扇形等の襠部２を設ける。上記の如く左右の袖網３の縦部位に襠部２を設けることにより、入り口部に向かって広がりを持つように成り、海中で潮流の圧力により入り口部４が圧迫され狭くなるのを防ぐことにより海中での網の形状が安定して保たれる。【選択図】図１
0003179301.tif 000002
【実用新案登録請求の範囲】
【請求項１】
漁撈用曳網の袖網垂直部位の左右両側に襠部を設けた漁網であって、該襠部は網入り口部から網奥側に向かって幅が狭くなる形状を有していることを特徴とする漁網。
【考案の詳細な説明】
【技術分野】
【０００１】
本考案は、曳網漁法用漁網に関し、特に水中で網の安定した形状保つことを可能にした曳網漁法用漁網の改良に関する。
【背景技術】
【０００２】
従来から、曳網漁法により、主にシラス、イカナゴ等の小魚を漁獲していた。この漁法に適した種々の漁網が開発されてきた。しかし、潮流は常にその方向、速度を変化させていり中で、海中に投じた漁網はその潮流の影響により安定した形状を保つことが困難となり、そのことが、漁獲量の増減に大きく影響していた。
【先行技術文献】
【特許文献】
【０００３】
【特許文献１】特開昭６０−２４１３８号公報
【特許文献２】特開２００５−３４１８５０号公報
【特許文献３】実開昭５９−１０１６６１号公報
【特許文献４】実開昭６１−６０６７３号公報
【特許文献５】実公昭４９−２３１１５号公報
【考案の概要】
【考案が解決しようとする課題】
【０００４】
そこで本考案は、潮流の影響による漁網の海中での形状の変化を少なくし、安定した形状を保つことを可能にした曳網漁法に用いられる漁網の、新規な構造を提案しようとするものである。
【課題を解決するための手段】
【０００５】
上記の課題を解決することができる本考案の漁網は、水中に棲息する水産動物を漁獲するための曳網漁法用漁網であって、その袖網垂直部位の左右両側に、襠部を設けることにより、網の入り口方向が広がった漁網を提案する。その襠部は引き綱側から網奥側に向かって幅が狭くなる形状を有しており、具体的には三角形、台形、扇形等の形状である。襠部の網目は袖網部と同サイズあるいは大きくてもよい。
【考案の効果】
【０００６】
本考案の曳網漁法用漁網は、左右の袖網の縦部位に襠部を設けることにより、入り口部に向かって広がりを持つように成り、海中で潮流の圧力により入り口部が圧迫され狭くなるのを防ぐことにより海中での網の形状が安定して保たれることにより、安定した漁獲量が得られるという、格段の効果を有する。
【図面の簡単な説明】
【０００７】
【図１】本考案の曳網漁法用漁網の概念図
【図２】本考案の袖網襠部の拡大図
【図３】従来の袖網部
【考案を実施するための形態】
【０００８】
本考案の曳網漁法用漁網を、図１示す例によって説明する。
図１は、曳網用漁網の海中で曳いているときの状態を示している。ここで１は綱本体であり、その先端には漁網を曳くための引き綱が取り付けられている。２は本考案のポイントである襠部であり、３は袖網部であり、４は網の入り口部、５は網袋部であり、漁獲した魚は網袋部の終端部６に集まる。本考案は３の袖網部に襠部２を設けたことを特徴とする。この襠部の形状は入り口部側が広くなった三角形、台形、或いは扇形で、その大きさは底辺の長さが約１ｍ〜２ｍで、高さ方向の長さが約５ｍであり、袖網部の高さに対して入り口方向に１０％−３０％の広がりを有する襠部である。
図２には袖網部の拡大図を示した。この図は網が海中に投じられたときの垂直方向の断面図に相当する。従来の網の同方向の図を図３に示したが、本考案の網は襠部２を設けることにより入り口方向が広く設置されている。
【０００９】
このような構造を備えた本考案の曳網漁法用漁網は、海水中に投入された後に曳かれると、漁網が前方に進むと同時に、水流の力を受けて袖網部分３を左右上下に押し拡げる結果、網入り口部分４が広く開いて網袋部分５の中に水が流れ込むようになる。本考案の曳網漁法用漁網では、袖網部分に襠部を設けたことにより、網にかかる水圧を逃がす効果が生まれ、網全体に下記ある水圧のバランスがよくなり、水中で安定した形状を保つ効果をもたらす。これにより安定した漁獲が得られる。
【産業上の利用可能性】
【００１０】
本考案の曳網魚法用漁網は、水中に生息する小型魚を効率的に漁獲するために考案されたものであるが、魚種については特に限定されるものではなく、曳網漁法が利用できる海域又は水域であれば、特に制限無く漁業に利用することができる。
【符号の説明】
【００１１】
１  魚網本体
２  襠部
３  袖網部
４  網入り口部
５  網袋部
６  終端部
【図１】
0003179301.tif 000003
【図２】
0003179301.tif 000004
【図３】
0003179301.tif 000005
(57)【要約】      （修正有）【課題】釣り場を移動する際や渡船に乗船する際に、収納した柄杓が動き回ったり、落ちたりしないようにしたシャク立てを提供する。【解決手段】柄杓を保持する為のベルト状の保持具を内側に設ける。【選択図】図１
0003174114.tif 000002
【実用新案登録請求の範囲】
【請求項１】
柄杓を保持するための保持具を設けたことを特徴とするシャク立て。
【考案の詳細な説明】
【技術分野】
【０００１】
本考案は、魚釣りにおいて、主に撒き餌を撒く為に使用する柄杓を洗浄、収納する為に使用するシャク立てに関するものである。
【背景技術】
【０００２】
一般にオキアミ等の撒き餌を釣り場に撒く際には、先がスプーンの形状をした柄杓を用いる。撒き餌を何度も撒いているうちに、撒き餌が柄杓のスプーン部に付着して、エサが撒き難くくなる。それを防止する為に、柄杓を、水を入れたシャク立てに入れておく。そうすることで、柄杓のスプーン部に付着した撒き餌が自然に取れるようになる。
【０００３】
シャク立ては、略直方体もしくは略円筒形の形状をしており、底は水が漏れないように接着され、上部は開口しており、内部は空洞になっている。側面にはバッカンに掛かり留めさせる為のフック等が付いているものもある。
【考案の開示】
【考案が解決しようとする課題】
【０００４】
解決しようとする問題点は、釣り場までの移動時等で、バッカンに掛かり留めした空のシャク立てに柄杓を入れて持ち歩くと、振動等で柄杓がシャク立ての中で動き回って、柄杓がシャク立てから落ちたり、又、渡船に乗船する際に柄杓が、シャク立てから逃げて海に落下してしまうことがある。
【課題を解決するための手段】
【０００５】
本考案は、シャク立てに柄杓を保持するための保持具を設けたことを特徴とする。
【考案の効果】
【０００６】
本考案のシャク立ては、柄杓を保持するための保持具を設けたことにより、柄杓をシャク立てに入れて移動したり、渡船に乗船する際に柄杓がシャク立て内で動き回ることがなく、よって柄杓がシャク立てから落ちる心配がないという利点がある。
【考案を実施するための最良の形態】
【０００７】
シャク立てにおいて、柄杓を保持するという目的を、出来るだけシンプルな構成で実現した。
【実施例１】
【０００８】
ＥＶＡ素材で出来たシャク立て１の内側に同素材で出来たベルト状の柄杓保持具２を取り付ける。前記ベルト状の柄杓保持具２は、ベルト状部材の片方端にボタンの下部材３を取り付け、他端に上部材４を取り付ける事により構成される。
【０００９】
具体的には、実施例１では、ボタンはドットボタンといわれるものを使用している。ベルト状部材は、シャク立てに接する片方端をドットボタンの下部材３でシャク立て本体の生地と共にかしめてシャク立てに取り付けている。また、ベルト状部材の他端には、ドットボタンの上部材４を頭部材５で挟み、かしめて固定させている。
【００１０】
柄杓７はベルト状の柄杓保持具２で柄杓７の柄の部分を巻いて、前記ベルト状の柄杓保持具の両端のボタンを閉じ合わすことによって保持される。
【００１１】
ベルト状の柄杓保持具を閉じ合わす為の部材として、ドットボタンの代わりに、前記ベルト状の柄杓保持具の両端付近の内側に面ファスナーを使用しても良い。
【００１２】
面ファスナーは前記ベルト状の柄杓保持具に縫い付けるか接着剤で接着する。また、前記ベルト状の柄杓保持具本体はシャク立てに接する部分を縫い付けるか接着剤で接着して、シャク立て内面に取り付ける。
【産業上の利用可能性】
【００１３】
シャク立てに設けた柄杓保持部で柄杓を保持することにより、釣り場を移動する際に柄杓がシャク立て内で動いたり、シャク立てから落ちることを心配せずに移動できる。
【図面の簡単な説明】
【００１４】
【図１】本考案シャク立て
【図２】本考案シャク立てで柄杓を固定した状態を示した説明図
【符号の説明】
【００１５】
１    シャク立て
２    ベルト状の柄杓保持具
３    ドットボタンの下部材
４    ドットボタンの上部材
５    ドットボタンの頭部材
６    バッカン掛かり留め用フック
７    柄杓
【図１】
0003174114.tif 000003
【図２】
0003174114.tif 000004
【手続補正書】
【提出日】平成23年12月26日(2011.12.26)
【手続補正１】
【補正対象書類名】実用新案登録請求の範囲
【補正対象項目名】全文
【補正方法】変更
【補正の内容】
【実用新案登録請求の範囲】
【請求項１】
柄杓を保持するためのベルト状の保持具を内側に設けたことを特徴とするシャク立て。
(57)【要約】      （修正有）【課題】着用時に森林浴効果のある上着及びスラックスを提供する。【解決手段】上着及びスラックスのポケット袋布にヒノキから抽出した天然エキスを繊維に付加する。ポケットに軽い摩擦や刺激を与えることによって、マイクロカプセル内に内包されている天然エキスが発散し、リフレッシュ感や、抗菌作用、消臭作用が働く。【選択図】図１
0003174111.tif 000002
【実用新案登録請求の範囲】
【請求項１】
上着及びスラックスのポケット袋布に森林浴効果のある天然エキスを付加した上着及びスラックス。
【考案の詳細な説明】
【技術分野】
【０００１】この考案は、上着のポケット、スラックスのポケットにヒノキから抽出した天然エキスを繊維に付加することにより森林浴の効果があります。
【背景技術】
【０００２】上着及びスラックスのポケットの袋布にヒノキから抽出した天然エキスをマイクロカプセル化し適度の強度で付着加工しています。
【考案が解決しようとする課題】
【０００３】従来の商品では抗菌、消臭作用を表地及び裏地など使用されていたものはありますがポケットの袋布として使用しているものはありませんでした。
【考案の結果】
【０００４】ポケットに軽い摩擦や刺激を与えることによって、マイクロカプセル内に内包されている天然エキスが発散し、リフレッシュ感や、抗菌作用、消臭作用が働きます。
【図面の簡単な説明】
【０００５】
【図１】上着表ポケット袋布
【図２】上着裏ポケット袋布
【図３】スラックスのポケット袋布
【符号の説明】
【０００６】１０  ポケット袋布
0003174111.tif 000003
【図３】
0003174111.tif 000004
【手続補正書】
【提出日】平成23年11月25日(2011.11.25)
【手続補正１】
【補正対象書類名】図面
【補正対象項目名】全図
【補正方法】変更
【補正の内容】
【図１】
0003174111.tif 000005
【図２】
0003174111.tif 000006
【図３】
0003174111.tif 000007
(57)【要約】      （修正有）【課題】就寝時、体の冷えで生じる腰部位の痛みや不快感を、その部位に密接して適温を維持する形状・構造として、緩和出来る腰保温シートを提供する。【解決手段】中空率２０〜４０％のポリエステル繊維のシート２と吸湿率５０〜６０ｗｔ％／ｇであり吸着熱が１４００〜１５００ｊ／ｇの吸湿発熱性ポリエステル繊維のシート３を重ね接合してシート状になし、保温性がある発泡スチロールのビーズ状のものを入れた筒状クッションが腰部位の形状に柔軟に変形して密着する構造として腰保温シートを形成する。【選択図】図２
0003174117.tif 000002
【実用新案登録請求の範囲】
【請求項１】
腰部位に密接するように形状が柔軟に変わり、保温性の高い発砲スチロールビーズのクッションと中空率２０〜４０%の保温性が高いポリエステル繊維、吸湿率５０〜６０wt%/gの吸着熱、 １４００〜１５００j/gの吸湿発熱性ポリエステル繊維を重ねた保温機能を高めたシートを組み合わせて使用する腰保温シート。
【考案の詳細な説明】
【技術分野】
【０００１】
就寝時、冷えにより生じる腰部位の不快感や痛みを適温で保温することにより和らげる腰保温シートに関するものである。
【背景技術】
【０００２】
特性を生かした繊維を組み合わせることにより保温効果を高めたシートを腰部位に効果的に接触させることで冷えを緩和するシートが開示されている（たとえば先行技術文献１）。
【先行技術文献】
【特許文献】
【０００３】
【特許文献１】特開平１１−１２８３３号公報
【考案の概要】
【考案が解決しようとする課題】
【０００４】
就寝の際、腰部位を温めるためサポーターを装着すると、圧迫による不快感や血行不良で冷えを増長させ、痛みも感じる。また発熱体を用いると熱過ぎ、場合によっては低温火傷という問題点がある。加え、寝相は人様々なうえに体つきも人それぞれであるので、腰部位をムラなく保温するのは難しいという問題もあった。
【課題を解決するための手段】
【０００５】
圧迫することなく、且つ腰部位に保温シートを密接することにより効果的に適温で保温維持が可能となる。
【考案の効果】
【０００６】
腰部位に効果的に密接して且つ適温で保温出来るため快適な就寝環境を提供することが出来る。
【実施例】
【０００７】
以下に添付図  図1、図２、図３、図４、図５、図６、添付表  表１、表２に従って実施例を説明する。
本考案は２つの本体により構成される。シート（１）とクッション（４）である。シート（１）は図２のように中空率３５％の保温繊維(２)に吸湿率５０.８wt%/g、 １４４９.００j/gの吸湿発熱性ポリエステル繊維の吸熱発熱綿(３)を重ねて接合された構造である。クッションを固定するマジックテープ（６）でシート（１）両サイドに接合してある。図４、クッション（４）のBから見た断面図。クッション（４）の構造は保温繊維（２）の筒状構造でその中に発砲スチロールビーズ（５）が入っている。クッション（４）は、シート（１）下に配置することで腰部位の形状に沿った密接を可能とすると共に保温効果を高める。図５は本考案を使用した際のクッション（４）とシート（１）の配置を示す横面図。クッション（４）を置くことによりシート（１）が腰部位に密接するように凸となるようにした。また図６は本考案を使用した際のクッション（４）とシート（１）の配置を示す下面図。
【０００８】
尚、本考案の保温機能を確認する為、下記実験とアンケートを実施した。
１)本考案のクッション併用保温シート、２）本考案保温シートのみ、３）保温性繊維のみの３通りの比較実験を行った。同一条件下で１０分間使用後の保温温度を測定。結果は表１の通りで、保温性繊維より本考案は平均温度３.３度高かった。
また暖かさの感覚は個人差があることから、本考案の使用後にa）心地よい暖かさを感じた、ｂ)暖かくなかった、ｃ）分からない
を回答するアンケートを実施した。回答数１０のうち全員が心地よい暖かさを選択した(表２)。
【０００９】
【表１】
0003174117.tif 000003
【表２】
0003174117.tif 000004
【図面の簡単な説明】
【００１０】
【図１】本考案の１部シート上面図。
【図２】本考案の１部A-A断面図。
【図３】本考案の４部クッション上面図。
【図４】本考案の４部クッションB-B断面図。
【図５】本考案の使用時横面図。
【図６】本考案の下面図。
【符号の説明】
【００１１】
１  シート本体
２  保温繊維
３  吸湿発熱綿
４  クッション本体
５  発砲スチロールビーズ
６  マジックテープ（登録商標）
【図１】
0003174117.tif 000005
【図２】
0003174117.tif 000006
【図３】
0003174117.tif 000007
【図４】
0003174117.tif 000008
【図５】
0003174117.tif 000009
【図６】
0003174117.tif 000010
【手続補正書】
【提出日】平成23年12月26日(2011.12.26)
【手続補正１】
【補正対象書類名】実用新案登録請求の範囲
【補正対象項目名】全文
【補正方法】変更
【補正の内容】
【実用新案登録請求の範囲】
【請求項１】
中空率２０〜４０%のポリエステル繊維のシートと吸湿率５０〜６０wt%/gであり吸着熱が１４００〜１５００j/gの吸湿発熱性ポリエステル繊維のシートを重ね接合してシート状になし、保温性がある発泡スチロールのビーズ状のものを入れた筒状クッションが腰部位の形状に柔軟に変形して密着する構造であることを特徴とする腰保温シート。
(57)【要約】      （修正有）【課題】ワンタッチで被ったり、コンパクトに畳んだりすることができるキャップを提供する。【解決手段】頭部を包む形状に、布地を蛇腹プリーツ式に縫製する。【選択図】図２
0003174105.tif 000002
【実用新案登録請求の範囲】
【考案の詳細な説明】
【技術分野】
【０００１】本考案は、蛇腹式みらくるキャップ（登録実用新案  第３１５７５２４号）の改良品である。
上記みらくるキャップは、癌患者仕様の製品として考案したものであるが、改良、工風を重ねた結果、無毛状態ではない人達にも個性に合わせた自在な形態に変化させて使用する事のできるキャップ（帽子）である。
【背景技術】
【０００２】本考案は、蛇腹式に縫製する事により、広げる、たためるの形状を維持出来る事が最大の特徴である。
【考案の概要】
【考案が解決しようとする課題】
【０００３】登録実用新案  第３１５７５２４号は癌患者に特定したキャップであったが、改良の結果一般の老若男女にも使用する事が出来る製品とした。
実用的で、また職種によっては便利な被り物とする事が可能である。【０００４】ワンタッチで被る事が出来、ワンタッチでコンパクトにたたむ事が出来る為、ポケット、バッグの中にしまう事が安易である。
洗濯も可能であるので、常に清潔に使用する事ができる。（布製）【０００５】少しの布（５０ｃｍ×５０ｃｍ）で効率よく制作する事が出来るので、多種多様な色柄、布を使用して縫製する事が出来る。【０００６】また医療関係、食品関係の職種については特に不織布を使用し、熱圧着加工により使い捨てのキャップとしても制作は可能である。
上部から被る被り方ではなく、下から引き上げる被り方なので毛髪がキャップからはみださず、長い髪の人でも完全に包み込む事が出来る為、非常に衛生的に装着することが出来る。
また、ゴム部分が一部分である事により頭部周辺の圧迫感が軽減され、更に蛇腹式加工である事により、特に女性は被った時にヘアスタイルをくずすリスクが少ない。
蛇腹の枚数により形状は自由である。
【図面の簡単な説明】
【０００７】
【図１】本考案の全体図（装着前）
【図２】キャップ部分を広げた図
【図３】部分ヘアピースとキャップを結合し被る際、蛇腹式部を後頭部へ引き下げた図
【図４】広げた布端を襟足部へ挟み込んで装着完了
【図５】本考案の全体図（正面）
【図６】本考案の全体図（横面）
【図７】本考案の全体図（後面）
【図８】スポーツキャップタイプ（横面）
【図９】ヘアバンドタイプ（横面）
【図１０】スポーツキャップタイプ（上面）
【図１１】サンバイザータイプ（横面）
【考案を実施する為の形態】
【実施例】
【０００８】以下、添付図面に従って一実施例を説明する。
図２から図７はキャップ部分を広げた図である。
頭部の形状に合わせ包み込み、後首部の伸縮部分に後頭部の余った布地を挟み込んで装着することで、安定性を出している。【０００９】図８から図１１までの図は、キャップを逆様に被った時の図である。
後部位のゴムの下に半円状の後部分布をはさみ込み被る事で、スポーツタイプの帽子として使用出来る。この半円状の布部分が様々な変化をつけるポイントとなっている。
登録実用新案  第３１５７５２４号の蛇腹式みらくるキャップの改良型であり、登録実用新案  第３１５７５２４号にも応用、対応が可能である。
登録実用新案  第３１５７５２４号の場合は前髪のみのヘアピースであったが、逆様に被ったスポーツタイプの帽子の場合は、後髪がある様に型作る事ができる。
【符号の説明】
【００１０】１  蛇腹式ステッチ
２  キャップ後首ギャザー
３  部分ヘアピース
４  蛇腹ステッチ幅
５  キャップ後首ギャザー装着時後方
６  蛇腹ステッチ部後首ギャザー切替部分
７  蛇腹式ステッチの伸縮
0003174105.tif 000003
0003174105.tif 000004
【手続補正書】
【提出日】平成23年12月9日(2011.12.9)
【手続補正１】
【補正対象書類名】実用新案登録請求の範囲
【補正対象項目名】全文
【補正方法】変更
【補正の内容】
【実用新案登録請求の範囲】
【請求項１】
・頭部を包む形状に布地を蛇腹プリーツ式に縫製した蛇腹式キャップ。
【手続補正３】
【補正対象書類名】図面
【補正対象項目名】全図
【補正方法】変更
【補正の内容】
【図１】
0003174105.tif 000005
【図２】
0003174105.tif 000006
【図３】
0003174105.tif 000007
【図４】
0003174105.tif 000008
【図５】
0003174105.tif 000009
【図６】
0003174105.tif 000010
【図７】
0003174105.tif 000011
【図８】
0003174105.tif 000012
【図９】
0003174105.tif 000013
【図１０】
0003174105.tif 000014
【図１１】
0003174105.tif 000015
(57)【要約】      （修正有）【課題】健常者以外の者でも津波襲来前に避難できる筏のある家を提供する。【解決手段】柱、桁及び合板を用いて形成されるとともに、床状部分形成する２枚の合板の間には、根太及び発泡ウレタンが設けられてなる部屋状の救命筏を、２階建ての木造建造物の屋根裏部分又は建物階上部分に設置してなる。【選択図】図２
0003174103.tif 000002
【実用新案登録請求の範囲】
【請求項１】
救命筏は、建築物の一部であり、津波到来時にシェルターの役割を果たす。
【考案の詳細な説明】
【技術分野】
【０００１】
本考案は、家屋に設置された津波被害時用の救命筏に関するものです。
【背景技術】
【０００２】
平成２３年３月１１日に発生した津波により多く犠牲が発生した。建築物が波に飲まれ、破壊され人やペットも流されてしまいました。高台に逃げるほか方法ないが、時間もない、襲来から脱出できず命や貴重品も失ってしまった。
【先行技術文献】
【非特許文献】
【０００３】
【非特許文献１】(非)特許文献
【考案の概要】
【考案が解決しようとする課題】
【０００４】
津波が発生し、襲来前までに高台に避難するには、健常者以外は自力で避難活動が出来なかったり、時間がかかったり、体力的に負担が大きい。更に荷物も持っていかれない為、貴重品などは津波に流されてしまう。従って、建物内に救命筏を設置することにより、津波襲来前には避難でき、貴重品も保管しておけば、失わず前述問題を解消できる。
【課題を解決するための手段】
【０００５】
津波に襲われ建築物が破壊する。それに対抗する様、建築全体に強度を持たせることは可能であるが、木造建築物であるとその強度を持たせるには限界がある。建築コストを考え鉄筋コンクリートではなく、木造建築物で通常の２階建ての屋根裏部分若しくは建物階上部分に脱出用のシェルターとして救命筏を設ける。本来津波警報が発生してから、屋外に出て避難所まで向かわなくてはならなく、避難場所到着までに時間をようする。筏のある家の場合は、建物内に設置している救命筏への移動なので、避難時間が短くてすむ。
【考案の効果】
【０００６】
上述のように、本考案の筏のある家は緊急救命筏を建物内に設置することにより、津波発生時には即座に避難することが出来、常時に貴重品の保管としても利用できます。
【図面の簡単な説明】
【０００７】
【図１】本考案の筏のある家の救命筏設置を示した断面図である。
【図２】筏のある家を示した断面図である。
【考案を実施するための形態】
【０００８】
模型及び実物大を作成し、実験を行う。
【実施例】
【０００９】
建築物本体と救命筏の模型を作成し切り離し出来ることを確認する。そして、松冨及び首藤（１９９４）により、RC構造が耐える１０ｍの津波は流速１０．２ｍ/Ｓ  抗力１６．９ｔｆ/ｍを超えても安全であることを確認。
【産業上の利用可能性】
【００１０】
建築物の一部である救命筏を上記の実験検査に基づき安全を確認して、設計し、監理を行う。
【符号の説明】
【００１１】
１  筏本体である。
２  筏の柱１５０ｍｍ×１５０ｍｍ
３  合板  厚み２４ｍｍ
４  発泡ウレタン
５  根太１５０ｍｍ×２４０ｍｍ
６  桁  １５０ｍｍ×２４０ｍｍ
７  ２階
８  １階
【図１】
0003174103.tif 000003
【図２】
0003174103.tif 000004
【手続補正書】
【提出日】平成23年10月20日(2011.10.20)
【手続補正１】
【補正対象書類名】実用新案登録請求の範囲
【補正対象項目名】全文
【補正方法】変更
【補正の内容】
【実用新案登録請求の範囲】
【請求項１】
本考案は救命筏を２階建ての屋根裏設置し、平常時は家族の人たちの思い出の物、
重要な書類、被害時に必要な非常食料などを一ヶ所に集約し、保管場所として利用する。
津波に対してのみ容易に建物と切り離され筏の様に水に浮いて流されるときの衝撃に対して
耐えられる様配慮し、安全を確保できるようにする。災害弱者と言われる老人、障害者は高台
への避難は苦痛を伴い、他の人へ迷惑をかける恐れがあり、こうした救命筏（シェルター）が
あることにより、安全というより安心して日頃生活を営むと言えよう。この救命筏によらず高台
へ避難が出来たとしても、そこに収納されている思い出の物、重要な書類が少なくても喪失しな
くてすむという利点が上げられる。平常時に違和感なく、収納室として利用、災害時にシェルター
としての役割を果たす筏のある家を考えました。
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
柱、桁及び合板を用いて形成されるとともに、床状部分形成する2枚の合板の間には、
根太及び発泡ウレタンが設けられてなる部屋状の救命筏を、2階建ての木造建造物の
屋根裏部分又は建物階上部分に設置してなる家。
(57)【要約】      （修正有）【課題】人体における疼痛軽減及び腰痛防止・腰部の保護として使用されるコルセットを提供する。【解決手段】ウエットスーツ生地を使用することにより、コストが安く・加工がしやすく、前後左右の身の動きをしっかりサポートでき、腰痛防止で自然なストリーム姿勢ができ抵抗も少なく体形に係りなく用いることができる。【選択図】図１
0003174108.tif 000002
【実用新案登録請求の範囲】
【請求項１】
装着者使用ズボンのベルト通しを利用することが出来るようにし接合面の表側に、アクセサリーのバックル又はプリントでおしゃれにしたコルセット。
【請求項２】
本体後部の内側に磁石・ゲルマニウム等を取付けられるようコリのポイントを表示したコルセット。
【請求項３】
本体表側に、見られても良いよいにおしゃれなプリントが出来るコルセット。
【請求項４】
本体は、全ウエットスーツ生地のためいろんな色が楽しめるコルセット。
【考案の詳細な説明】
【技術分野】
【産業上の利用分野】
【０００１】本考案は、人体における疼痛軽減及び腰痛防止・腰部の保護として使用されるコルセットに関するものである。
【背景技術】
【０００２】従来のコルセットで、本体全部がウエットスーツ生地とおしゃれのデザインは、見た事がない商品である。
【考案の開示】
【考案が解決しようとする課題】
【０００３】従来のコルセットは、次のような問題があった。
（イ）帯部が伸縮性を有する物を使用していることから、使用者が装着後において胴部全体が帯部での締め付け具合が変化してしまい、腰当て部の押圧力が一定に保持されない。
（ロ）コルセットが複数の素材を使用しているため使用者の負担が大きい点が問題であった。
（ハ）コルセット本体が見栄えが悪い。
【課題を解決するための手段】
【０００４】そこで、本考案は、コルセット本体全部ウエットスーツ生地を使用しているため、
（イ）当て部の腰椎への押圧力を一定に保持することができる。
（ロ）使用者の負担が少なくできる。
（ハ）見栄えを良くするために、本体の色及びおしゃれのデザインをプリントできる。
本考案は以上のような問題を失くす為に成されたものである。
【考案の効果】
【０００５】本考案によれば、単純な構造ではあるが、腰部中心をしっかりと押え安定感、爽快感を得られる。
【図面の簡単な説明】
【０００６】
【図１】  本考案の正面図
【図２】  コルセットの展開内面図
【図１】
0003174108.tif 000003
【図２】
0003174108.tif 000004
【手続補正書】
【提出日】平成23年12月7日(2011.12.7)
【手続補正１】
【補正対象書類名】実用新案登録請求の範囲
【補正対象項目名】全文
【補正方法】変更
【補正の内容】
【実用新案登録請求の範囲】
【請求項１】
装着者の腰に当接する幅広の本体と本体の両側につらなる一対の帯部とを有し、各帯部をそれぞれ装着者の使用するズボンのベルト通しに通すことで胴部全体に巻きつけ可能なコルセット。
【請求項２】
本体内側に磁石、ゲルマニウム等を取付けるための取付け表示を設けた請求項１に記載のコルセット。
【請求項３】
ウエットスーツ生地からなる請求項１に記載のコルセット。
(57)【要約】      （修正有）【課題】携帯薄型コンピューターの身体への固定により電車等の移動体による立った姿勢での操作の危険性を解決するケースを提供する。【解決手段】回転機構の回転部３に固定されたトンネル状の指掛け部２により固定する。画面の向きの変更が生じたときにも持ち直しをすることなく回転機構により携帯薄型コンピューターの向きを変えることが出来る。【選択図】図２
0003174144.tif 000002
【実用新案登録請求の範囲】
【請求項１】
薄型携帯コンピューター本体をしっかりと覆い、背面部の回転盤に取り付けた指掛けを設け、又その回転盤は円弧状に移動可能となっている事を特徴とする薄型携帯コンピューターケース
【考案の詳細な説明】
【技術分野】
【０００１】  本考案は、携帯薄型コンピューターを安全に利用する為、安定性と機能性を重視したケースに関するものである。
【背景技術】
【０００２】  近年では、技術の発達によりあらゆる公共交通機関の場で携帯薄型コンピューターの利用者が散見される。しかしその反面、デザイン重視のためか滑りやすく電車等の移動体では特に様々な危険を考慮しなければならない。又、縦横の画面切り替えの際には両手で操作しなければならず安定性が欠けていた。
【考案の概要】
【考案が解決しようとする課題】
【０００３】  携帯薄型コンピューターは軽量に出来ていて持ち運びも便利であるが、デザイン重視の為か非常に滑り易く片手で持つには安定性に欠ける。又、携帯薄型コンピューターの画面が縦長状態から横長状態、又はその逆にに切替えたい時は両手を携帯薄型コンピューターに添えている必要があり電車等の移動体で立った姿勢利用するには危険を考慮しなければならない。従って、身体への固定と移動可能な回転機構により前述の課題を解決しようとするものである。
【課題を解決するための手段】
【０００４】  本考案は、携帯薄型コンピューターの本体をしっかりと覆い指を通すことにより課題とされていた安定性の問題を解決し、且つ移動可能な回転機構により縦横の画面切り替えの際にも両手で持っている必要がないため立っている状態では操作しにくいといった問題点も同時に解決している。
【考案の効果】
【０００５】  上述のように、本考案の携帯薄型コンピューターケースは指を通すことにより身体への固定と移動可能な回転機構により両手でコンピューターを触っている時間を短縮することができる。又、成人男性だけでなく女性や子供でも可動式の回転機構により電車等の移動体でもスムーズな操作を実現した。
【図面の簡単な説明】
【０００６】
【図１】携帯薄型コンピューターに装着した図（正面）
【図２】携帯薄型コンピューターに装着した図（裏面）
【図３】回転機構の回転部
【図４】回転機構を移動させるための台座部
【図５】回転機構の回転部を外した図（裏面）
【考案を実施するための形態】
【０００７】  本カバーの回転機構の台座部には、使用の状態や使用者の手の大きさに応じて回転機構の回転部を移動可能とする為に切り抜きが設けられている。
【実施例】
【０００８】  以下、添付図面に従って一実施例を説明する。１は皮革等適宜素材を用いて作成されたカバー本体（回転機構の台座部も含む）、２は皮革等適宜素材を用いて回転機構の回転部に固定されたトンネル状の指掛け。３は硬度の高いアルミ板等適宜素材に皮革等適宜素材を張り合わせて作成された回転機構の回転部。４はアクリル板等適宜素材を成型した回転機構の支柱。５は、回転機構を移動させるための切り抜きが設けられた硬度の高いアルミ板等適宜素材を成型した台座部。
【符号の説明】
【０００９】１  本カバー
２  指掛部
３  回転機構の回転部
４  回転機構の支柱
５  回転機構を移動させるための台座部
６  回転機構の回転部を移動する為の切り抜き
７  装着する携帯薄型コンピューター
【図１】
0003174144.tif 000003
【図２】
0003174144.tif 000004
【図３】
0003174144.tif 000005
【図４】
0003174144.tif 000006
【図５】
0003174144.tif 000007
(57)【要約】      （修正有）【課題】貼ることにより、肌への通気性を促し、同時に含有成分の薬効的効果により、傷や筋等の炎症を癒し、さらなる身体的健康に寄与する健康促進粘着シートを提供する。【解決手段】剥離シート３と生地シート２との間に、効果孔５を設けた効能構成体４を、サンドイッチ状態で挟み込んで設けた、粘着シート１とする。また、該効能構成体は、ジルコニューム粉末とゲルマニューム粉末とトルマリン粉末、および原料樹脂とを、混合熱容器に投入して、溶けた樹脂と共に練り込み、さらに粘着剤を添加して形成する。【選択図】図１
0003174134.tif 000002
【実用新案登録請求の範囲】
【請求項１】
剥離シート（３）と生地シート（２）との間に、効果孔（５）を設けた効能構成体（４）を、サンドイッチ状態で挟み込んで設けた、粘着シート完成品（１）であって、該効能構成体は、ジルコニューム粉末（６）とゲルマニューム粉末（７）とトルマリン粉末（８）、および原料樹脂（９）とを、混合熱容器（１１）に投入して、溶けた樹脂と共に練り込み、さらに粘着剤（１０）を添加したことを特徴とする、健康促進粘着シート。
【考案の詳細な説明】
【技術分野】
【０００１】  本考案は、健康促進に寄与する、絆創膏テープやシートに関する技術である。
【背景技術】
【０００２】  従来から、体の筋肉や筋のプロテクターとしての、粘着テープや粘着シートがある。
【考案の開示】
【考案が解決しようとする課題】
【０００３】  現在、人の肌に直接貼り付ける、粘着テープや粘着シート等多くの人々に使用されている。しかし利用する人の体質により、皮膚アレルギーを起こしたり、汗をかいたりで、意外と問題が生じている。
これら課題を解決するために本考案はなされたのである。
【課題を解決するための手段】
【０００４】  以下解決手段を説明する。
まず、シートの貼り付け側を覆う、剥離シート（３）と利用者の肌に直接貼り付ける側になる、生地シート（２）との間に、皮膚呼吸および通気作用を促す、効果孔（５）を設けた効能構成体（４）を、生地シート（２）に固着させてサンドイッチ状態で装填して粘着シート完成品（１）として設ける。この効能構成体（４）は、人体にとって健康的な細胞活性化を促す要素や成分を含有する、ゲルマニューム粉末（７）とトルマリン粉末（８）とジルコニューム粉末（６）と原料樹脂（９）とを、混合熱容器（１１）等に投入して、溶けた樹脂と共に練り込み、さらに粘着剤（１０）を添加したもので構成される。
本考案は、以上のような構成および特徴よりなる、健康促進粘着シートである。
【考案の効果】
【０００５】１．肌に貼り付けるシート（テープと呼んでも良い）には、効能構成体（４）に効果孔（５）が設けられているので、肌への通気性が良く、皮膚呼吸もスムーズに働き、肌アレルギーおよび汗やカブレから開放された。
２．効能構成体（４）である、ゲルマニューム粉末（７）は血流を向上させ、細胞を活性化し、筋肉痛やコリの緩和に役立つ。またトルマリン粉末（８）は表面電荷の発生により、マイナスイオン効果とミネラル分溶質効果があり、さらにジルコニューム粉末（６）は吸着脱臭効果を持ち、さらに該ゲルマニュームとトルマリンの肌への浸透性向上に手助けする。つまりシートを貼ることにより、健康に寄与する。
【考案を実施するための最良の形態】
【０００６】  図１、図２のごとく構造構成は極めてシンプルに形成されている。まず図２のごとくシートの貼り付ける側をシールドして覆う、剥離シート（３）を用意する。この剥離シート（３）は紙類やフイルムのシート状のものであれば使用可能である。さらにシートの基体となる不織布や織布などの布地を使用した、生地シート（２）を用意して、該剥離シートと該生地シートとの間に、効果孔（５）を設けた効能構成体（４）を生地シート（２）に固着させて、サンドイッチ状態に充填装填して、図１のごとく粘着シート完成品（１）として設ける。そしてこの効果孔（５）を設けた効能構成体（４）は、ゲルマニューム粉末（７）とトルマリン粉末（８）とジルコニューム粉末（６）、そして原料樹脂（９）さらに粘着剤（１０）等と混合練り込みされたもので構成されている。【０００７】図３を参考に製造工程を説明すると、剥離シート（３）のロールをセットしラインに該シートを流していく。つぎに混合熱容器（１１）等に、ジルコニューム粉末（６）、ゲルマニューム粉末（７）、トルマリン粉末（８）、原料樹脂（９）さらには粘着剤（１０）等を投入し、溶け出した樹脂と共に混合攪拌練り込みを行い、効能構成体（４）を構成する。つぎにこの該構成体をラインの剥離シート（３）上で流し込み、つぎの固着工程（１２）に於いて、セットした該生地シートのロールより取り出した、生地シート（２）に固着させる。この時に効果孔（５）を形成せしめながら効能構成体（４）を生地シート（２）に固着させる事がノウハウである。つぎに乾燥工程（１３）で、シート全体を乾燥して固めて、粘着シート完成品（１）として形成する。
本考案は以上のような構成であり、これを使用せんとするときには、【０００８】  図１のごとく、剥離シート（３）を剥がし取り、効能構成体（４）部分から肌表面に、貼り付けるだけで良い。
【図面の簡単な説明】
【０００９】
【図１】  本考案の一部拡大した説明斜視図である。
【図２】  本考案の断面図である。
【図３】  本考案の製造説明図である。
【符号の説明】
【００１０】    １  粘着シート完成品
２  生地シート
３  剥離シート
４  効能構成体
５  効果孔
６  ジルコニューム粉末
７  ゲルマニューム粉末
８  トルマリン粉末
９  原料樹脂
１０  粘着剤
１１  混合熱容器
１２  固着工程
１３  乾燥工程
【図１】
0003174134.tif 000003
【図２】
0003174134.tif 000004
【図３】
0003174134.tif 000005
(57)【要約】      （修正有）【課題】鋼鉄板と磁石を組み合わせることで、エンブレムの落下紛失の防止及び磁気の外部への漏洩の低減を図った、胸飾りエンブレムを衣服に装着する為の磁石式取り付け用具を提供する。【解決手段】磁石１を鋼鉄板２に接着したものを胸ポケット８に差込む。エンブレム５に鋼鉄板３を埋め込み、更に紐４を付け、之を胸ポケットの外側から押し当てて磁力で装着する。エンブレムの落下紛失防止用の鎖６の上部を胸ポケット８に懸け下部をエンブレムの紐に繋ぐ。エンブレムに磁石でなく鋼鉄板を埋め込み、磁石板を胸ポケットに差し込んで之を吸着させる方式にすることにより、磁石を２枚の鋼鉄板で挟む事になり、磁気の外部への拡散は鋼鉄板に遮られて前後方向共に大幅に減少される。また、鎖をエンブレムに設けた紐に繋いで胸ポケットから吊るす事で紛失防止となる。【選択図】図４
0003174132.tif 000002
【実用新案登録請求の範囲】
【請求項１】
胸飾りエンブレムを衣服に装着する為の磁石式取り付け用具。
次のものから成ります
１．  鋼鉄板に磁石を接着したもの（以下磁石板と呼びます）
２．  胸飾りエンブレムの内部に鋼鉄板を埋め込み、裏側に鎖と連結する為の紐をつけたもの
３．  エンブレムの落下紛失防止用の鎖
以上の構成からなることを特徴とする磁石式取り付け用具です。
【考案の詳細な説明】
【技術分野】
【０００１】考案は胸飾りエンブレム（以下エンブレムと呼びます）を衣服に装着する方法に関するものです
【技術背景】
【０００２】エンブレムの衣服への装着には糸で縫い付けるとか、ピンを利用するとかの方法が主流ですが、着脱が面倒とか服地を傷つけるとかの不満が有ります。
着脱に就いては、磁石の利用が最も簡単ですが、下記の様な懸念も有ります。
１．  磁気の外部に対する悪影響、例えば心臓ペースメーカー等の装着者や磁気カード等にたいするもの
２．  エンブレムの落下紛失
【考案の概要】
【考案が解決しようとする課題】
【０００３】磁石式取り付けにはエンブレムの内部に磁石を埋め込むのが普通ですが、その場合磁気の外部へ拡散が心配です。
又、磁力で吸着するだけなので、落下紛失の恐れも無くは有りません。
【問題を解決する為の手段】
【０００４】考案はエンンブレには磁石でなく鋼鉄板を埋め込み、同時に磁石板を胸ポケットに差込んで之を吸着させる事にしました。これは磁石を２枚の鋼鉄板で挟み込んだ形になって、磁気の外部への拡散は鋼鉄板に遮られて前後方向共に大幅に削減されます。
【０００５】落下紛失防止のために、衣服の胸ポケットから鎖を吊るしてエンブレムに付けた紐に連結します。
【考案の効果】
【０００６】下記の効果がえられます。
１．ピンを使用しないので服地を傷める事は無くなります。
２．着脱が簡単です。
３．装着者自身と外部に対する磁気の影響を大幅に削減します。
４．エンブレムの落下紛失の怖れを無くします。
【図面の簡単な説明】
【０００７】
【図１】磁石板の正面図と側面図
【図２】エンブレムに鋼鉄板を埋め込み、鎖に連結する為の紐を付けたものの正面図と側面図（一部切欠断面）
【図３】落下紛失防止用の鎖の略図
【図４】全構成部品の関連図
【考案を実施するための形態】
【０００８】磁石板の磁石面を外にして胸ポケットに入れ、外側から鋼鉄板を埋め込んだエンブレムを押し当てるだけで装着できます。
又、エンブレムの紐に鎖の下部を繋いで上部を胸ポケットから吊るして落下紛失を防ぎます。
【実施例】
【０００９】以下、添付図面に従って実施例を説明します。
１の磁石を２の鋼鉄板に接着したものを８の胸ポケットに差込みます。
５はエンブレムで３の鋼鉄板を埋め込み、更に４の紐を付けたものです。
之を胸ポケットの外側から押し当てて磁力で装着します。６はエンブレムの落下紛失防止用の鎖で、上部を８の胸ポケットに懸け下部をエンブレムの紐に繋ぎます。
第４図は上述の構成部品を組み合わせた場合の略図です。
【符号の説明】
【００１０】１      磁石
２      鋼鉄板
３      鋼鉄板
４      鎖と連結用の紐
５      エンブレム
５ａ    エンブレムの裏側
６      鎖
７      衣服
８      胸ポケット
【図１】
0003174132.tif 000003
【図２】
0003174132.tif 000004
【図３】
0003174132.tif 000005
【図４】
0003174132.tif 000006
(57)【要約】      （修正有）【課題】使用時に抗菌、抗カビ、消臭機能を簡便な方法で発揮させ、長時間その機能を発揮するドライシートを提供する。【解決手段】亜塩素酸ナトリウム溶液をマイクロカプセル化し、それにバインダー樹脂と分散剤と洗浄剤を混合しコート剤とし、シート状物質に噴霧した後乾燥させ、裏面に、酸性剤を水に溶融しバインダーを混合し泡状にコーティングし乾燥させる。使用時に、水に浸すと二酸化塩素が発生し、ウエットシートとなり、長時間使用できる。【選択図】図１
0003174140.tif 000002
【実用新案登録請求の範囲】
【請求項１】
（イ）亜塩素酸ナトリウム溶液を、マイクロカプセル化し、樹脂バインダーや分散剤と混合して噴霧コート剤とし、
（ロ）各種不織布や綿や紙類などのシート状物質に塗布した後乾燥させ、
（ハ）使用時に、酸類を溶かした水溶液を塗布するか、含浸させて二酸化塩素を生成し、発生する酸素により抗菌、抗かび、消臭機能を有するドライシート。
【請求項２】
洗浄剤を各種不織布や綿、紙類等のシート状物質に塗布した請求項１のドライシート。
【請求項３】
使用時に、クエン酸、リンゴ酸、コハク酸、フマール酸、希塩酸、硫酸水素ナトリウムなどの様々な酸類の希釈液を塗布するか、含浸させると二酸化塩素が生成され、発生する酸素により抗菌、抗かび、消臭する請求項１のドライシート。
【考案の詳細な説明】
【考案の詳細な説明】
【産業上の利用分野】
従来厨房の調理台などに使用される食品関係の抗菌剤は、９０％以上が次亜塩素酸ナトリウムなどの塩素系の抗菌剤であり、その毒性は小さじ一杯飲めば赤ちゃんが死ぬと言われるぐらい強く、欧米では、酸素で抗菌する二酸化塩素の使用が奨励されている。本考案は、その二酸化塩素をマイクロカプセル化することにより、使用時に抗菌、抗かび、消臭機能を簡便な方法で発揮させしかもマイクロカプセル化による除放性により長時間その機能を発揮するシート状物質であることが必要でしかも輸送や海外輸出を考慮した場合ドライタイプであることも望まれる。
最近、ノロウイルスやインフルエンザウイルス、そしてＯ−１５７やサルモネラ菌など食中毒や感染症などが食事を通じて人々に感染を広めている問題があり、簡便で安全でしかも強力な抗菌力のあるシート状物質を抗菌ダスターとして使用することは、必要不可欠と言える。
またこのシートに、同時に洗浄剤（石鹸化したものも良い）をコーティングすると、洗浄、除菌、消臭、抗かびのドライシートができ、利用分野が大きく広がる。
【背景技術】従来二酸化塩素は、液体であり抗菌力を発揮する酸素の気化が早く２カ月〜３カ月で消滅し効力を失うもので、多くは液体をすぐ使用するか二酸化塩素生成装置を現場に導入し、使用時に精製する以外ありませんでした。
これでは非常に使い勝手が悪く、ダスターやタオルその他のシート状物質を作成することは不可能であった。
【発明が解決しようとする課題】
従って本考案が解決しようとする課題は、簡便で必要な時に使用できる抗菌、抗かび、消臭，洗浄シートをドライタイプで作成しなければならない。
しかも長時間機能を発揮できるものがより望ましい。
【課題を解決する為の手段】
この課題の解決には、二酸化塩素を化学反応により生成する素材ＡとＢのうち、Ａと洗浄剤の混合液を予めシート状物質に塗布コーティングした後乾燥してし、裏面にＢ剤の溶液をコーティングした後乾燥しドライタイプにし使用時に水に浸すことにより二酸化塩素を発生させることにより実現できる。
しかし二酸化塩素は、発生する酸素は短時間に気化し長時間の使用に耐えることが出来ない、従ってマイクロカプセル化しその除放性を生かし長時間使用可能にすることが出来る。
以上のことから、ドライタイプのシート状物質は、使用時に簡便にしかも長時間使用できることが可能になる。
【考案の作用】
本考案は、基本的には（イ）〜（ハ）の手段から成り立っている。
イ）亜塩素酸ナトリウム溶液を、マイクロカプセル化し、樹脂バインダーや分散剤及び洗浄剤と混合して塗布コート剤としＡ剤とする
ロ）各種不織布や綿や紙類などのシート状物質に塗布した後乾燥させ、
ハ）裏面に酸類を溶かした溶液Ｂ剤をコーティングし乾燥させてドライシート化する。
ニ）使用時に、水に浸してＡ剤とＢ剤の化学反応により、二酸化塩素を生成し、発生する酸素により抗菌、抗かび、消臭、洗浄機能を有するシートにする。
本発考案に於いて使用する亜塩素酸ナトリウム溶液は、９８％濃度の粉体を水に溶融するか、一般に歯磨きの漂白剤として使用される２０％濃度の溶液などを使用する。
バインダー樹脂成分は、繊維用としては、無機粉体の分散性に優れたアクリル酸エステル共重合エマルジョンやその他の安全な樹脂、または他の繊維用バインダーもある。
マイクロカプセルの分散を均等化するための分散剤や、対象によっては柔軟性を上げるための柔軟剤の添加も必要である。
また洗浄剤は、植物油脂類など鹸化出来る液剤が最も良い。
コーティングする場合、まずＡ剤をシートに塗布コーティングし後Ｂ剤をＡ剤と化学反応しないように泡状にしてコーティングし乾燥しドライシート化する。
本発考案に於いては、塗布定着させる溶液の構成は、亜塩素酸ナトリウムのマイクロカプセル３重量〜５重量部が含まれた水溶液５０重量部に、バインダー樹脂成分１０重量部、分散剤３重量部、洗浄成分１０重量部、水２７重量部の比で混合された溶液であり、またＢ剤としてコーティングする酸性液は、クエン酸、リンゴ酸、フマール酸、硫酸水素ナトリウム、希塩酸などの各種酸溶液のうち一種類を５重量部から２０重量部を８０重量部から９５重量部の水に溶かしたものである。
【実施例】亜塩素酸ナトリウム２０％溶液を２ミクロンのシリカマイクロカプセルに含浸し、そのマイクロカプセル化したものを５％を１０％のバインダーと３％の分散剤と１０％の洗浄成分を混合し、７２％の水に溶かした塗布用コート剤を作成する。そのコート剤を厚さ２ミリ３００ミリ四方の綿不織布シート片面に５０ｃｃ噴霧コーティングし、乾燥装置で乾燥させた。
その後裏面にはクエン酸２５％に１０％のバインダーを混合し、６０％の水に溶かした溶液に５％の増粘剤を入れて乾燥させた不織布シートに泡状にしてコーティングし後乾燥させてドライシートを完成させた。
使用時にドライシートを水道水に浸け二酸化塩素測定器で測定すると約２０ｐｐｍの濃度の二酸化塩素が発生し、１２時間程度発生が継続できた。
一般データー上では、ノロウイルスは４ｐｐｍ濃度で１２０秒、サルモネラ菌や大腸菌は３ｐｐｍ濃度で２０秒、インフルエンザウイルスは１ｐｐｍ濃度で１５秒で完全死滅する。したがって２０ｐｐｍ濃度が発生すれば十分死滅すると言える。
【図面の簡単な説明】
【図１】は、ドライタイプのシート状物質平面図である。
【図２】は、ドライタイプのシート状物質の断面図である。
【図１】
0003174140.tif 000003
【図２】
0003174140.tif 000004